(57)【特許請求の範囲】
【請求項１】
壁面の寸法に合わせて裁断した上レールと下レールと中桟レールを壁面に取着する工程と、前記下レールに複数の柱の下部を仮止めする工程と、前記中桟レールは下部断面に鉤部を有し、前記柱は該鉤部内に咬合しうる咬持部を有する柱ハンガーを取り付けてなり、前記中桟レールに前記柱を前記柱ハンガーで嵌装させる工程と、前記上レールに柱の上部を係止する工程と、仮止めしていた前記下レールに前記柱の下部を本止めで係止する工程と、前記柱に棚受けまたはパイプ受けを担持させる工程とからなることを特徴とする収納クローゼットシステムの組立方法。
【請求項２】
収納クローゼットシステムが、壁面に取着する上レールと、下レールと中桟レールと、柱と、棚受けまたはパイプ受けからなり、前記上下レールは断面コの字状で内鍔部を有し、前記柱は該内鍔部内に摺動する板ナットに鋲着させ、前記中桟レールは下部断面に鉤部を有し、前記柱は該鉤部内に咬合しうる咬持部を有する柱ハンガーを取り付けてなり、前記棚受けまたはパイプ受けは後端に前記柱の穿設孔の何れかに着脱自在に係合しうる係止片を有することを特徴とする収納クローゼットシステム。
【請求項３】
前記レールが、長さを自在に切断できる請求項２記載の収納クローゼットシステム
【請求項４】
前記上下レールが、複数の壁面への取着孔を有する請求項２記載の収納クローゼットシステム。
【請求項５】
前記柱が、断面コの字型からなり、該断面内に逆コの字型の支柱を嵌合補強してなる請求項２記載の収納クローゼットシステム。
【請求項６】
前記柱が、各種高さのものを有する請求項２記載の収納クローゼットシステム。
【請求項７】
前記棚受けまたはパイプ受けが、先端を棚またはパイプと締結して固定してなる請求項２記載の収納クローゼットシステム。
【請求項８】
前記柱と柱間に、引き出しを吊着してなる請求項２記載の収納クローゼットシステム。
【発明の詳細な説明】
【０００１】
【発明の属する技術分野】
本発明は、室内の収納空間内に、棚や洋服掛け等を架設するクローゼットにおいて、空間スペ−スに応じてそのサイズを可変しうるようにシステムと、その組立方法に関するものである。
【０００２】
【従来の技術】
規定サイズの部品を組み合わすシステム化したクローゼットは、従来から出回っている。しかし、規格サイズのマンション等においても、クローゼットを設置する空間が、大工の誤差から一定していないために、入らなかったり隙間の生ずることが欠点となっていた。
【０００３】
また設置空間は、平面的に限らずＬ字型コ−ナ−空間の場合や、ロングサイズの場合もある。従ってクローゼットシステムは、これ等の要求にも対応しうるものでなければならない。
【０００４】
そして、既存のタンスをクローゼット内に収納しうるようにするためには、正面の扉側を開放状態に保つ必要がある。そのため、棚受けやパイプ受けを片持梁にしておかなければならない。従って、従来の棚受けやパイプ受けは、ぐらつきやすいことが欠点となっている。
【０００５】
【発明が解決しようとする課題】
上記の事情に鑑み本発明は、設置空間の誤差や各種形状に対応しうるもので、また受け材を安定に保つことができ、しかも組立の簡単な収納クローゼットシステムとその組立方法の提供することを課題とするものである。
【０００６】
【課題を解決するための手段】
本発明は上記課題を達成するために、壁面の寸法に合わせて裁断した上レールと下レールと中桟レールを壁面に取着する工程と、前記下レールに複数の柱の下部を仮止めする工程と、前記中桟レールは下部断面に鉤部を有し、前記柱は該鉤部内に咬合しうる咬持部を有する柱ハンガーを取り付けてなり、前記中桟レールに前記柱を前記柱ハンガーで嵌装させる工程と、前記上レールに柱の上部を係止する工程と、仮止めしていた前記下レールに前記柱の下部を本止めで係止する工程と、前記柱に棚受けまたはパイプ受けを担持させる工程とからなる収納クローゼットシステムの組立方法を構成するものである。
【０００７】
また本発明は上記課題を達成するために、収納クローゼットシステムが、壁面に取着する上レールと、下レールと中桟レールと、柱と、棚受けまたはパイプ受けからなり、前記上下レールは断面コの字状で内鍔部を有し、前記柱は該内鍔部内に摺動する板ナットに鋲着させ、前記中桟レールは下部断面に鉤部を有し、前記柱は該鉤部内に咬合しうる咬持部を有する柱ハンガーを取り付けてなり、前記棚受けまたはパイプ受けは後端に前記柱の穿設孔の何れかに着脱自在に係合しうる係止片を有するようにした収納クローゼットシステムを構成するものである。
【０００８】
【発明の実施の形態】
以下、本発明の実施形態を図に基づいて詳しく説明する。図１は本発明の収納クローゼットシステムの一実施例を示す分解斜視図、図２は上下レールの一実施例を示し、（イ）は正面図、（ロ）は取り付け状態の分解断面図である。図３は中桟レール取り付け状態の一実施例を示す断面図、図４は棚受けの一実施例を示し、（イ）は平面図、（ロ）は右側面図、（ハ）は正面図である。図５は棚受けへフックの取り付け状態の一実施例を示す断面図、図６は本発明の収納クローゼットシステムを組立て状態の一実施例を示す断面図である。図７は本発明の収納クローゼットシステムを組立て状態の別の実施例を示す断面図である。
【０００９】
本発明の収納クローゼット１は、図７に示す壁面Ｗに取着する下レール２と上レール３と、中桟レール４と、柱５と、図１の棚受け６またはパイプ受け７とからなっている。従って図６に示すように、棚受け６，６の間には棚８を載架し、パイプ受け７，７間にはパイプ９を載架して使用する。なお図示してないが、収納クローゼット１の前面には、通常、折戸、片開き、引き戸、観音開き等の扉が付設される。
【００１０】
横の上下レール２，３は、６００ｍｍ，７５０ｍｍ，９００ｍｍ，１２００ｍｍ，１５００ｍｍ，１８２０ｍｍ，２１００ｍｍ，２７３０ｍｍと各種長さの規格品を用意しているが、アルミサッシュ製なので、壁面の誤差に応じて簡単に切断しうるようになっている。そして図２（イ）に示すように、レール１０２は、壁面Ｗへの取着孔１０を多数の長孔にして、自由な位置に図２（ロ）の鋲１１ａで取着しうるようにしている。
【００１１】
レール１０２は、図２（ロ）に示すように、断面コの字状であって、内鍔部１２を有している。この内鍔部１２内には、摺動自在の板ナックローゼット１３を嵌装している。従って縦の柱５は、鋲１１ｂで横のレール１０２の鍔部１２内に、上から鋲着し固定させることができる。なお１４は、鋲１１ｂの頭部に覆装される鋲カバ−である。
【００１２】
柱５は、１６００ｍｍ，１８００ｍｍ，２１００ｍｍと各種高さの規格品を有している。そして本発明の収納クローゼット１の各部品は、アルミサッシュ製を主体にしている。従って柱５は、図１に示すように、断面コの字型であるが、その断面内に逆コの字型の支柱１５を嵌合して、補強するようにしている。
【００１３】
横方向は、上下レール２，３の中間に、中桟レール４を付設するようにしている。中桟レール４は、図３に示すように、下部断面に前方に突出した鉤部１６を有している。図１に示す支柱１５には、柱ハンガー１７を鋲１１ｃにより取り付けている。柱ハンガー１７は、鉤部１６内に填まり込んで咬合する、後方上面に突出した咬持部１８を有している。そのため、咬持部１８を下から鉤部１６内に差し込めば、支柱１５と柱５を係止させることができる。このように、柱５を中桟レール４に咬合させるのは、上下の支え間隔が大きくなるため、柱５が前に倒れかけないよう補強したものである。
【００１４】
図１に示す柱５と支柱１５には、幾つかの穿設孔１９，１９を有する。この穿設孔１９，１９の何れか２個に、図４（ハ）に示す上下の係止片２０，２０を、着脱自在に係合させ、棚受け６またはパイプ受け７を後端で、柱５と支柱１５を所望の位置に取り付ける。
【００１５】
棚受け６には、図４（イ）に示す全長に渡る平面状受け板２１ａが、またパイプ受け７には、図１に示す後端だけの平面状受け板２１ｂが取付けられている。両サイドに取り付けられる棚受け６，６間には棚８が載架され、両サイドに取り付けられるパイプ受け７，７間にはパイプ９が載架される。受け板２１ａと受け板２１ｂの先端には、フック穴２２ａ，２２ｂを穿設している。フック穴２２ａには、図５に示すように合成樹脂製の棚フック２３が嵌合され、棚８または小サイズの棚１０８を、下から棚フック２３に挿入した鋲１１ｄで締結して固定するようにしている。このようにして不安定な片持梁の棚受け６とパイプ受け７が、ぐらつかないように配慮している。
【００１６】
同様に、図１に示す棚２０８は、縦のコ−ナ−を補強する例を示したものである。棚２０８の締結には、アングル２４が使用される。このようにして図６に示すように、収納クローゼット１の両側面と上下面は棚２０８，２０８，２０８，２０８で内装される。なおパイプ９は、図１に示すように、両端にキャップ２５，２５を嵌挿した、底面を有する半球状断面の筒体で、回らないよう安定に保っている。
【００１７】
図６は、組立て上がりのロングサイズの収納クローゼット１を示すが、棚８の上には各種の収納物２６が置かれ、パイプ９にはハンガー２７が吊るされる。そして柱１０５と柱１０５間には、引き出し２８も吊着している。なお引き出し２８の吊着は、図示してないが、図４（ハ）に示す係止片２０，２０により行われる。
【００１８】
図７は、Ｌ字型コ−ナ−空間の場合の、組立て上がりの収納クローゼット１０１を示すが、棚３０８と棚３０８は、コ−ナ−で突き当たり状態で連結させることができる。
【００１９】
次に、本発明の収納クローゼットシステムの組立方法を詳述する。最初に、壁面Ｗの寸法に合わせて裁断した下レール２と中桟レール４を取着し、下レール２に柱５の下部を仮止めする。次に、壁面Ｗに取着した中桟レール４に、柱５を柱ハンガー１７で嵌装させる。その詳細は、前述したので省略する。
【００２０】
それから、壁面Ｗに取着した上レール３に柱５の上部を係止し、これと共に先程仮止めしていた下レール２に柱５の下部を本止めして係止する。このようにして壁面Ｗに取り付けた各レール２，３，４上に、各柱５…５を覆装する。そして両側面と上下面を、棚２０８，２０８，２０８，２０８で内装してもよい。
【００２１】
次に、所望の柱５，５間に、棚受け６またはパイプ受け７を担持させる。その詳細は、前述したので省略する。そして本発明の各部品は、各種規格品からなり、それを適宜組み合わすことによって、システム化しうるようになっている。
【００２２】
【発明の効果】
本発明の収納クローゼットは、部品が裁断可能なアルミサッシュ製からなっているので、設置する空間に誤差があってもこれに対応した隙間のない設置が可能である。
【００２３】
本発明の収納クローゼットは、各部品を組合せうるようにシステム化しているので、平面的に限らずＬ字型コーナー空間や、ロングサイズの空間に対する要求にも対応しうることができる。
【００２４】
本発明の収納クローゼットは、壁面に取着した横レールとその上の柱、及び上下・側面の内装だけを基本構成にした開放空間なので、引っ越し前に使用のタンス等をそのまま収納することも可能である。
【００２５】
本発明の収納クローゼットは、内部を開放空間にするため、棚受けやパイプ受けを片持梁にしている。そのため、受け材の先端を棚で固定し、ぐらつきのないようにすることができる。
【００２６】
本発明の収納クローゼットは、各部品がシステム化されているので、その組合せを自在に選択することができ、また変更も可能である。
【００２７】
本発明の収納クローゼットは、各部品が規格化され、大量生産も可能なので、安価に提供することができる。
【００２８】
本発明の収納クローゼットの組立方法は、工程が少なく、経験を要さずに簡単に組立ることができる。
【図面の簡単な説明】
【図１】本発明の収納クローゼットシステムの一実施例を示す分解斜視図である。
【図２】上下レールの一実施例を示し、（イ）は正面図、（ロ）は取り付け状態の分解断面図である。
【図３】中桟レール取り付け状態の一実施例を示す断面図である。
【図４】棚受けの一実施例を示し（イ）は平面図、（ロ）は右側面図、（ハ）は正面図である。
【図５】棚受けへフックの取り付け状態の一実施例を示す断面図である。
【図６】本発明の収納クローゼットシステムの組立て状態の一実施例を示す断面図である。
【図７】本発明の収納クローゼットシステムの組立て状態の他の実施例を示す断面図である。
【符号の説明】
１，１０１                  収納クローゼット
２，１０２                  下レール
３                          上レール
４                          中桟レール
５，１０５                  柱
６                          棚受け
７                          パイプ受け
８，１０８，２０８，３０８  棚
９                          パイプ
１０                        長孔の取着孔
１１ａ，ｂ，ｃ，ｄ          鋲
１２                        内鍔部
１３                        板ナックローゼット
１４                        鋲カバー
１５                        支柱
１６                        中桟レールの鉤部
１７                        柱ハンガー
１８                        柱ハンガーの咬持部
１９                        穿設孔
２０                        係止片
２１ａ，ｂ                  受け板
２２ａ，ｂ                  フック穴
２３                        棚フック
２４                        アングル
２５                        キャップ
２６                        収納物
２７                        ハンガー
２８                        引き出し
Ｗ                          壁面
【図１】
0004107367.tif 000002
【図２】
0004107367.tif 000003
【図３】
0004107367.tif 000004
【図４】
0004107367.tif 000005
【図５】
0004107367.tif 000006
【図６】
0004107367.tif 000007
【図７】
0004107367.tif 000008